(57)【要約】【課題】車両の事故が発生した場合に、事故が発生した時刻に事故現場にあった情報処理装置を後から容易に特定する技術を提供する。【解決手段】サーバ装置は、位置を特定する機能を有する情報処理装置が特定した各時刻における情報処理装置の位置情報を含む情報を記憶する記憶部と、車両の事故が発生した場合に、複数の情報処理装置のうち事故が発生した時刻に事故が発生した地点の周辺にあった情報処理装置を、上記情報に基づいて特定する特定部と、を備える。【選択図】図１
2020166436.tif 000002
【特許請求の範囲】
【請求項１】
位置を特定する機能を有する情報処理装置が特定した各時刻における前記情報処理装置の位置情報を含む情報を記憶する記憶部と、
車両の事故が発生した場合に、複数の情報処理装置のうち前記事故が発生した時刻に前記事故が発生した地点の周辺にあった情報処理装置を、前記情報に基づいて特定する特定部と、
を備えることを特徴とするサーバ装置。
【請求項２】
前記複数の情報処理装置は、車両に搭載される装置であることを特徴とする請求項１に記載のサーバ装置。
【請求項３】
前記複数の情報処理装置は、前記車両の周囲の画像を撮影する装置であり、前記記憶部は、前記複数の情報処理装置から取得した前記車両の周囲の画像を記憶することを特徴とする請求項２に記載のサーバ装置。
【請求項４】
前記情報は、道路に設置された通信機器を介して前記複数の情報処理装置から送信される請求項１〜３のいずれか１項に記載のサーバ装置。
【請求項５】
前記複数の情報処理装置は、人が携帯する携帯端末装置であることを特徴とする請求項１に記載のサーバ装置。
【請求項６】
位置を特定する機能を有する情報処理装置が特定した各時刻における前記情報処理装置の位置情報を含む情報に基づいて、車両の事故が発生した時刻に前記事故が発生した地点の周辺にあった情報処理装置を特定するサーバ装置に前記情報を提供する情報処理装置であって、
前記情報を前記サーバ装置に送信する通信部と、
前記情報を前記サーバ装置に送信する際に、該情報の送信を行うことをユーザに報知する報知部と、
を備えることを特徴とする情報処理装置。
【請求項７】
前記通信部は、道路に設置された通信機器を介して、前記情報を前記サーバ装置に送信することを特徴とする請求項６に記載の情報処理装置。
【請求項８】
位置を特定する機能を有する情報処理装置が特定した各時刻における前記情報処理装置の位置情報を含む情報を記憶する記憶ステップと、
車両の事故が発生した場合に、複数の情報処理装置のうち前記事故が発生した時刻に前記事故が発生した地点の周辺にあった情報処理装置を、前記情報に基づいて特定する特定ステップと、
を含むことを特徴とする装置特定方法。
【請求項９】
コンピュータに、
位置を特定する機能を有する情報処理装置が特定した各時刻における前記情報処理装置の位置情報を含む情報を記憶する記憶手順と、
車両の事故が発生した場合に、複数の情報処理装置のうち前記事故が発生した時刻に前記事故が発生した地点の周辺にあった情報処理装置を、前記情報に基づいて特定する特定手順と、
を実行させることを特徴とする装置特定プログラム。
【発明の詳細な説明】
【技術分野】
【０００１】
本開示は、サーバ装置、情報処理装置、装置特定方法、および、装置特定プログラムに関する。
【背景技術】
【０００２】
特許文献１には、異常事態発生時の状況を示す異常状況情報を記録する情報記録システムが記載されている。この技術では、事故が発生すると、事故車両が、事故現場の周辺にある車両のドライブレコーダーに画像記録依頼を送信する。
【０００３】
事故現場の周辺にある車両のドライブレコーダーは、その画像記録依頼を受信すると、事故発生時から前後数秒間の画像をリングバッファから抽出して、保存用メモリに退避させる。
【先行技術文献】
【特許文献】
【０００４】
【特許文献１】特開２００８−２９５０号公報
【発明の概要】
【発明が解決しようとする課題】
【０００５】
しかし、上述した従来の技術では、事故現場の周辺にいた車両が事故現場を離れてしまうと、当該車両を後で特定することが難しく、当該車両のドライブレコーダーの保存メモリに退避させた画像を後から入手することは困難であった。
【０００６】
本開示の目的は、車両の事故が発生した場合に、事故が発生した時刻に事故現場にあった情報処理装置を、後から容易に特定することのできる技術を提供することにある。
【課題を解決するための手段】
【０００７】
上記課題を解決するために、サーバ装置は、位置を特定する機能を有する情報処理装置が特定した各時刻における位置情報を含む情報を記憶する記憶部と、車両の事故が発生した場合に、複数の情報処理装置のうち事故が発生した時刻に事故が発生した地点の周辺にあった情報処理装置を、上記情報に基づいて特定する特定部と、を備える。
【０００８】
また、情報処理装置は、位置を特定する機能を有する情報処理装置が特定した各時刻における情報処理装置の位置情報を含む情報に基づいて、車両の事故が発生した時刻に事故が発生した地点の周辺にあった情報処理装置を特定するサーバ装置に上記情報を提供する情報処理装置であって、上記情報をサーバ装置に送信する通信部と、上記情報をサーバ装置に送信する際に、上記情報の送信を行うことをユーザに報知する報知部と、を備える。
【０００９】
また、装置特定方法は、位置を特定する機能を有する情報処理装置が特定した各時刻における情報処理装置の位置情報を含む情報を記憶する記憶ステップと、車両の事故が発生した場合に、複数の情報処理装置のうち事故が発生した時刻に事故が発生した地点の周辺にあった情報処理装置を、上記情報に基づいて特定する特定ステップと、を含む。
【００１０】
また、装置特定プログラムは、コンピュータに、位置を特定する機能を有する情報処理装置が特定した各時刻における情報処理装置の位置情報を含む情報を記憶する記憶手順と、車両の事故が発生した場合に、複数の情報処理装置のうち事故が発生した時刻に事故が発生した地点の周辺にあった情報処理装置を、上記情報に基づいて特定する特定手順と、を実行させる。
【発明の効果】
【００１１】
本開示によれば、車両の事故が発生した場合に、事故が発生した時刻に事故現場にあった情報処理装置を、後から容易に特定することができる。
【図面の簡単な説明】
【００１２】
【図１】本開示の実施の形態に係るシステムの構成の一例を示すブロック図である。
【図２】図１に示した情報処理装置の構成の一例を示すブロック図である。
【図３】サーバ装置が行う情報処理装置の特定処理の一例を示すフローチャートである。
【発明を実施するための形態】
【００１３】
以下に添付図面を参照して、本開示に係る好適な実施の形態について詳細に説明する。
【００１４】
図１および図２は、本開示の実施の形態を示す図である。図１は、本開示の実施の形態に係るシステムの構成の一例を示すブロック図である。
【００１５】
サーバ装置１００は、移動可能な複数の車両２００の情報処理装置３００と、通信装置４００を介して通信可能に接続されている。情報処理装置３００は、例えば、車両２００に搭載されるドライブレコーダーなどの装置である。
【００１６】
また、サーバ装置１００には、例えば、事故が発生した時刻、および、事故が発生した地点の情報を含む事故情報をサーバ装置１００に入力するための入力部５００が接続されている。サーバ装置１００については、後に詳しく説明する。
【００１７】
情報処理装置３００は、車両２００に搭載されている。情報処理装置３００は、情報処理装置３００を識別する識別情報、現在の時刻および現在の時刻における位置の情報などを含む位置情報を生成する。
【００１８】
例えば、情報処理装置３００は、ＥＴＣ（Ｅｌｅｃｔｒｏｎｉｃ  Ｔｏｌｌ  Ｃｏｌｌｅｃｔｉｏｎ  Ｓｙｓｔｅｍ）２．０の規格に準拠した装置である。
【００１９】
情報処理装置３００は、例えばＧＰＳ受信機（図示せず）を備え、ＧＰＳ受信機からの情報を受け取ることによって、上記位置情報を生成することができる。
【００２０】
また、情報処理装置３００には、図示しない複数種類のセンサを接続してもよい。情報処理装置３００に、例えば加速度センサを接続すると、位置情報に、車両の急加速、急停止、蛇行などの事故を推認させる情報を含めることができる。
【００２１】
図２は、情報処理装置３００の構成の一例を示す図である。情報処理装置３００は、図２に示すように、記憶部３０１と、通信部３０２と、報知部３０３とを備える。
【００２２】
記憶部３０１は、静止画像または動画像によって、車両２００の周囲を断続的または連続的に撮影し、画像の撮影時の時刻と関連づけて画像データとして記憶するメモリなどの記憶デバイスである。
【００２３】
記憶部３０１は、静止画像または動画像に加え、周囲の音声も画像と併せて録音できるものであってもよいし、周囲の音声のみを記憶するものであってもよい。
【００２４】
通信部３０２は、上述した位置情報を、通信装置４００を介してサーバ装置１００に送信する。
【００２５】
通信装置４００は、情報処理装置３００から位置情報を受信し、位置情報をサーバ装置１００に送信する装置である。
【００２６】
通信装置４００は、車両２００が走行する道路に所定の間隔で情報処理装置３００と通信可能に設置される。
【００２７】
また、通信部３０２は、後に詳しく説明するが、車両の事故が発生した場合に、サーバ装置１００からの求めに応じて、事故が発生した時刻および事故が発生した地点において撮影された画像データをサーバ装置１００に送信する。
【００２８】
報知部３０３は、上述した位置情報をサーバ装置１００に送信する旨を、例えばモニタ（図示せず）などに表示して、情報処理装置３００のユーザに報知する。報知部３０３は、例えば、プロセッサなどの制御デバイスにより構成される。
【００２９】
報知部３０３は、位置情報をサーバ装置１００に最初に送信するときのみユーザに報知してもよいし、サーバ装置１００に位置情報を送信する都度ユーザに報知してもよい。
【００３０】
また、報知部３０３は、位置情報をサーバ装置１００に送信する旨を、音声によりユーザに報知してもよい。
【００３１】
さらに、報知部３０３は、位置情報のサーバ装置１００への送信を許可するかどうかをユーザに問い合わせる表示を行ってもよい。通信部３０２は、ユーザから承諾することを示す入力を受け付けた場合に位置情報をサーバ装置１００に送信する。
【００３２】
例えば、モニタがタッチパネル式のモニタであれば、ユーザのタッチ操作により承諾することを示す入力をユーザから受け付けてもよい。
【００３３】
また、報知部３０３は、事故が発生した時刻および事故が発生した地点における画像データをサーバ装置１００に送信する場合おいても、上述した位置情報を送信する旨の報知と同様に、画像データをサーバ装置１００に送信する旨を報知してもよい。
【００３４】
この場合、報知部３０３は、画像データをサーバ装置１００に最初に送信するときのみユーザに画像データを送信する旨を表示してもよいし、画像データを送信する都度ユーザに報知してもよい。
【００３５】
さらに、報知部３０３は、画像データのサーバ装置１００への送信を許可するかどうかをユーザに問い合わせる表示を行ってもよい。通信部３０２は、ユーザから承諾することを示す入力を受け付けた場合に画像データをサーバ装置１００に送信する。
【００３６】
例えば、モニタがタッチパネル式のモニタであれば、ユーザのタッチ操作により承諾することを示す入力をユーザから受け付けてもよい。
【００３７】
サーバ装置１００は、記憶部１０１、特定部１０２、および、依頼部１０３を備えている。サーバ装置１００には、入力部５００および表示部６００が接続されている。
【００３８】
入力部５００は、キーボードやマウスなどの入力デバイスである。入力部５００は、事故が発生した時刻、および、事故が発生した地点の情報を含む事故情報の入力を受け付ける。
【００３９】
表示部６００は、ディスプレイなどの表示デバイスである。表示部６００は、後に説明する特定部１０２により実行される情報処理装置３００の特定処理の結果を表示する。
【００４０】
記憶部１０１は、情報処理装置３００から通信装置４００を介して送信された位置情報を記憶するメモリやハードディスク装置などの記憶デバイスである。また、記憶部１０１は、後に説明する依頼部１０３の依頼により情報処理装置３００から取得した画像データを記憶する。
【００４１】
特定部１０２は、車両の事故が発生した場合に、入力部５００から事故情報が入力されると、記憶部１０１に記憶された位置情報の中から事故情報に含まれる時刻、地点に相当する時刻、地点の情報を検索し、検索された時刻、地点に対応する情報処理装置３００の識別情報を特定する。
【００４２】
これにより、事故が発生した時刻および事故が発生した地点の周辺にあった情報処理装置３００が特定される。
【００４３】
そして、特定部１０２は、識別情報が特定された情報処理装置３００の情報を表示部６００に出力する。
【００４４】
依頼部１０３は、識別情報が特定された情報処理装置３００に対して、事故が発生した時刻および事故が発生した地点における画像データをサーバ装置１００に送信するよう依頼する。そして、依頼部１０３は、情報処理装置３００から取得した画像データを表示部６００に表示させる。
【００４５】
つぎに、サーバ装置１００が行う情報処理装置３００の特定処理の処理手順について説明する。図３は、サーバ装置１００が行う情報処理装置３００の特定処理の一例を示すフローチャートである。
【００４６】
サーバ装置１００は、情報処理装置３００から送信される位置情報を受信し、記憶部１０１に記憶する（ステップＳ１０）。前述のとおり、位置情報は、情報処理装置３００を識別する識別情報、および、その情報処理装置３００の各時刻における位置の情報などを含む情報である。
【００４７】
つぎに、サーバ装置１００の特定部１０２は、入力部５００を介してユーザにより事故情報が入力されたか否かを判定する（ステップＳ１１）。前述のとおり、事故情報とは、事故が発生した時刻、および、事故が発生した地点の情報を含む情報である。
【００４８】
事故情報が入力されていない場合（ステップＳ１１においてＮＯの場合）、ステップＳ１０の処理が再度実行される。
【００４９】
事故情報が入力された場合（ステップＳ１１においてＹＥＳの場合）、サーバ装置１００の特定部１０２は、事故車両の周辺に存在した情報処理装置３００を特定し、その情報を表示部６００に表示する（ステップＳ１２）。
【００５０】
具体的には、特定部１０２は、記憶部１０１に記憶された位置情報の中から事故情報に含まれる時刻、地点に相当する時刻、地点の情報を検索し、検索された時刻、地点に対応する情報処理装置３００を事故車両の周辺に存在した情報処理装置３００として特定する。
【００５１】
その後、依頼部１０３は、特定された情報処理装置３００に対して、事故が発生した時刻および事故が発生した地点における画像データをサーバ装置１００に送信するよう依頼する（ステップＳ１３）。
【００５２】
そして、情報処理装置３００から画像データが送信されてきたら、依頼部１０３は、これを受信する（ステップＳ１４）。
【００５３】
続いて、記憶部１０１は、受信した画像データを記憶する（ステップ１５）。そして、記憶部１０１に記憶された画像データは、表示部６００に表示される。
【００５４】
ここで、サーバ装置１００が一旦事故現場にいた車両２００が特定できると、位置情報を保持しているため、その車両２００の現在位置を追跡することも容易にできるようになる。
【００５５】
なお、上述した実施の形態では、情報処理装置３００がドライブレコーダーなどの車載装置であることとしたが、これに限定されず、人が携帯するスマートフォンやタブレット端末などの携帯端末装置であってもよい。
【００５６】
これにより、事故現場にいた人を特定することができ、事故後に事故の証言などをその人から得ることが容易になる。
【００５７】
また、上記事故情報は、入力部５００を人が操作することにより入力することとしたが、事故情報の入力は人手による入力に限られない。
【００５８】
例えば、情報処理装置３００が、加速度センサを搭載しており、加速度センサが検知した加速度の情報を位置情報に含めて、サーバ装置１００に送信するものとする。
【００５９】
この場合、サーバ装置１００は、車両の急加速、急停止、蛇行などの事故を推認させる事象を加速度の情報から検出し、この事象が発生した時刻および地点の情報からその時刻に周辺にあった情報処理装置３００を特定することとしてもよい。
【００６０】
また、情報処理装置３００は、位置情報を通信装置４００を介してサーバ装置１００に送信することとした。しかし、情報処理装置３００がサーバ装置１００と直接通信する機能を備え、情報処理装置３００がサーバ装置１００と通信装置４００を介さずに通信することとしてもよい。
【００６１】
以上、本開示に係る実施形態について図面を参照して詳述してきたが、上述した各装置の機能は、コンピュータプログラムにより実現され得る。
【００６２】
上述した各装置の機能をプログラムにより実現するコンピュータの読取装置が、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００６３】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【産業上の利用可能性】
【００６４】
本開示は、車両の事故が発生した場合に、事故が発生した時刻に事故現場にあった情報処理装置を後から特定する技術に有用である。
【符号の説明】
【００６５】
１００  サーバ装置
１０１  記憶部
１０２  特定部
１０３  依頼部
２００  車両
３００  情報処理装置
３０１  記憶部
３０２  通信部
３０３  報知部
４００  通信装置
５００  入力部
６００  表示部
【図１】
2020166436.tif 000003
【図２】
2020166436.tif 000004
【図３】
2020166436.tif 000005